(57)【特許請求の範囲】
【請求項１】
目地部を介して設けられた左右の建物の目地部側の一方の床躯体に後端部が取付具によって取付けられ、先端部が目地部側の他方の床躯体に反目地部側が傾斜面の目地プレートスライド支持凹部に支持され、目地部が狭くなると先端部が他方の床躯体上へ突出する床用目地プレートを備える床用目地装置と、この床用目地装置が設けられた部位の左右の建物の壁面間の目地部を覆う壁用目地装置とを備える目地装置において、前記壁用目地装置は前記左右の建物の壁面間の目地部を前記床用目地プレートと隙間を有するように覆うコ字状あるいはリップミゾ形鋼形状の目地カバーと、この目地カバーを前記目地部が広くなったり狭くなったりしても損傷することなく覆えるように、前記左右の建物の目地部側壁面に取付けられた目地カバー支持具と、前記目地カバーの下端部に上下方向にスライド移動可能に取付けられ、中央部より前記床用目地プレートの後端部側が該床用目地プレートと当接し、先端部側が床用目地プレートと当接しない切欠部が形成されたスライド目地カバーと、このスライド目地カバーの切欠部を覆い、前記床用目地プレートの先端部が上方へ回動する、押し圧により該床用目地プレートの回動方向にスライド移動するように、該スライド目地カバーに取付けられた遮蔽板とで構成されていることを特徴とする目地装置。
【請求項２】
遮蔽板は台形状に形成され、かつ両側部はスライド目地カバーに形成されたガイド部材とスライド移動可能に係合されていることを特徴とする請求項１記載の目地装置。
【請求項３】
遮蔽板はスライド目地カバーの下部中央部に枢支ピンで枢支されていることを特徴とする請求項１記載の目地装置。
【発明の詳細な説明】
【技術分野】
【０００１】
本発明は目地部を介して床面と壁面とを有する渡り通路等の部分で、地震で目地部が狭くなると床用目地プレートの先端部が床面上へ突出する床用目地装置を備えた目地装置に関する。
【背景技術】
【０００２】
従来、このような目地装置は左右の建物の目地部側の床躯体間に左右の建物が地震で左右方向に揺れ動いた場合に、床用目地プレートの中央部を目地部の中央部に位置した状態で左右の建物が左右方向に移動できる床用目地装置と、左右の建物の壁面間の目地部を覆う壁用目地装置の壁用目地カバーの上下部位に上下方向にスライド移動する移動目地カバーを設置し、左右の建物が地震で異なる上下方向に揺れ動いても、その揺れ動きを移動目地カバーの上下移動で吸収して、壁用目地カバー等を損傷することなく吸収することが考えられている。
【０００３】
しかしながら、左右の建物が地震で異なる上下方向に揺れ動くと、床用目地プレートが傾斜状態となって移動目地カバーを押し圧するため、該押し圧時に移動目地カバーと壁用目地カバーとがかじり、スライド移動できなくなって損傷するという欠点があった。
【０００４】
また、最近、床用目地プレートを地震で目地部が狭くなると先端部を上方へ回動できるようにして床面上へ突出させて、その揺れ動きを吸収する床用目地装置が多く用いられているため、該床用目地プレートで壁用目地装置の移動目地カバーを押し上げようとすると、移動目地カバーには床用目地プレートの傾斜による押し上げ力が加わり、移動目地カバーと壁用目地カバーとがかじり、移動目地カバーがスライド移動できなくなるという不具合が同じように生ずるという欠点があった。
【先行技術文献】
【特許文献】
【０００５】
【特許文献１】特許第３１９１２１４号公報
【発明の概要】
【発明が解決しようとする課題】
【０００６】
本発明は以上のような従来の欠点に鑑み、床用目地装置の床用目地プレートの先端部が地震で目地部が狭くなり、上方へ回動して、傾斜面になっても、壁用目地装置が損傷することなく、スムーズにスライド目地カバーおよび遮蔽板が移動し、かつ壁用目地部が開口するのを阻止して、安全に使用することができる目地装置を提供することを目的としている。
【０００７】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００８】
上記目的を達成するために、本発明は目地部を介して設けられた左右の建物の目地部側の一方の床躯体に後端部が取付具によって取付けられ、先端部が目地部側の他方の床躯体に反目地部側が傾斜面の目地プレートスライド支持凹部に支持され、目地部が狭くなると先端部が他方の床躯体上へ突出する床用目地プレートを備える床用目地装置と、この床用目地装置が設けられた部位の左右の建物の壁面間の目地部を覆う壁用目地装置とを備える目地装置において、前記壁用目地装置は前記左右の建物の壁面間の目地部を前記床用目地プレートと隙間を有するように覆うコ字状あるいはリップミゾ形鋼形状の目地カバーと、この目地カバーを前記目地部が広くなったり狭くなったりしても損傷することなく覆えるように、前記左右の建物の目地部側壁面に取付けられた目地カバー支持具と、前記目地カバーの下端部に上下方向にスライド移動可能に取付けられ、中央部より前記床用目地プレートの後端部側が該床用目地プレートと当接し、先端部側が床用目地プレートと当接しない切欠部が形成されたスライド目地カバーと、このスライド目地カバーの切欠部を覆い、前記床用目地プレートの先端部が上方へ回動する、押し圧により該床用目地プレートの回動方向にスライド移動するように、該スライド目地カバーに取付けられた遮蔽板とで目地装置を構成している。
【発明の効果】
【０００９】
以上の説明から明らかなように、本発明にあっては次に列挙する効果が得られる。
（１）請求項１により、地震で目地部が狭くなり、床用目地プレートの先端部が上方へ回動して傾斜面になっても、壁用目地装置のスライド目地カバーの切欠部を覆っている遮蔽板を床用目地プレートでスムーズに押し上げることができる。
したがって、目地部が狭くなる地震時の揺れ動きで、壁用目地装置が損傷するのを効率よく阻止できる。
（２）前記（１）によって、左右の建物の壁面間の目地部を目地カバー、スライド目地カバーおよび遮蔽板で覆うことができる。
したがって、目地部に開口する隙間が生じることなく、安全に使用することができる。
（３）前記（１）により、スライド目地カバーは下端部の中央部が床用目地プレートによって押し圧されるため、目地カバーに対し、上方へスムーズに押し圧され、スムーズにスライド移動させることができる。
（４）前記（１）により、スライド目地カバーに切欠部を形成するとともに、該切欠部を床用目地プレートの回動方向にスライド移動する遮蔽板をスライド目地カバーに取付けるだけでよいので、構造が簡単で容易に設置することができる。
（５）請求項２も前記（１）〜（４）と同様な効果が得られるとともに、遮蔽板のスライド目地カバーへの取付けを容易に行なうことができる。
（６）請求項３も前記（１）〜（４）と同様な効果が得られるとともに、スライド目地カバーに遮蔽板が外れないように取付けることができる。
【図面の簡単な説明】
【００１０】
【図１】本発明を実施するための第１の形態の平面図。
【図２】図１の２−２線に沿う断面図。
【図３】図２の３−３線に沿う断面図。
【図４】本発明を実施するための第１の形態の目地カバー支持具の説明図。
【図５】本発明を実施するための第１の形態の目地カバーの説明図。
【図６】本発明を実施するための第１の形態のスライド目地カバーの説明図。
【図７】本発明を実施するための第１の形態の遮蔽板の説明図。
【図８】本発明を実施するための第１の形態の地震で目地部が狭くなった動作説明図。
【図９】本発明を実施するための第１の形態の地震で目地部が非常に狭くなった動作説明図。
【図１０】本発明を実施するための第１の形態の地震で目地部が広くなった動作説明図。
【図１１】本発明を実施するための第２の形態の平面図。
【図１２】図１１の１２−１２線に沿う断面図。
【図１３】本発明を実施するための第２の形態の遮蔽板が取付けられたスライド目地カバーの説明図。
【図１４】本発明を実施するための第２の形態の地震で目地部が狭くなった動作説明図。
【図１５】本発明を実施するための第３の形態の平面図。
【図１６】図１５の一部破断した１６−１６線に沿う断面図。
【図１７】本発明を実施するための第３の形態の目地カバー支持具の説明図。
【発明を実施するための形態】
【００１１】
以下、図面に示す本発明を実施するための形態により、本発明を詳細に説明する。
【００１２】
図１ないし図１０に示す本発明を実施するための第１の形態において、１は目地部２を介して設けられた左右の建物３、３の目地部を、地震の揺れ動きを吸収できるように覆うことができる本発明の目地装置で、この目地装置１は前記左右の建物３、３の床躯体３ａ、３ａ間を覆う床用目地装置４と、前記左右の建物３、３の壁面３ｂ、３ｂ間を覆う壁用目地装置５とで構成されている。
【００１３】
前記床用目地装置４は前記左右の建物３、３の目地部側の一方の建物３の床躯体３ａに形成された床用目地プレート支持凹部６と、前記左右の建物３、３の目地部側の他方の建物３の床躯体３ａに反目地部側が傾斜面７に形成された、前記目地部２のほぼ半分の幅寸法の床用目地プレートスライド支持凹部８と、前記床用目地プレート支持凹部６に後端部が支持され、先端部が前記床用目地プレートスライド支持凹部８に支持された床用目地プレート９と、前記床用目地プレート支持凹部６に前記床用目地プレート９の先端部が上方へ回動できるように取付ける取付具としての、該床用目地プレート支持凹部６に固定された係止ピン１０、１０と、この係止ピン１０、１０と係合する前記床用目地プレート９の後部両側底面に形成された係止穴１１、１１とで構成されている。
【００１４】
前記壁用目地装置５は目地部側の一方の建物３の壁面３ｂに一端部が枢支ピン１２で枢支され、他端部が目地部側の他方の建物３の壁面３ｂに枢支ピン１２で枢支され、中央部に中央枢支部１３が形成された伸縮可能で、かつ所定間隔離間されて配置された少なくとも２個以上の中央維持リンク機構１４、１４を備える目地カバー支持具１５と、この目地カバー支持具１５に取付けられた前記目地部側の壁面３ｂ、３ｂに両端部が当接し、前記床用目地プレート９との間に隙間１６を有するように配置されたリップミゾ形鋼形状の目地カバー１７と、この目地カバー１７の下端部に上下方向にスライド移動可能で、かつ前記床用目地装置４の床用目地プレート９と当接する下部の、該床用目地プレート９の先端部側で、かつ中央部より先端部側に切欠部１８が形成されたスライド目地カバー１９と、このスライド目地カバー１９の切欠部１８を覆う台形状の遮蔽板２０と、この遮蔽板２０を該遮蔽板２０の傾斜面２０ａに沿って上方へ移動できるようにガイドする、前記スライド目地カバー１９に形成された遮蔽板ガイド片２１、２２とで構成されている。  
【００１５】
前記目地カバー支持具１５は少なくとも２個以上の中央維持リンク機構１４、１４と、この少なくとも２個以上の中央維持リンク機構１４、１４の中央枢支部１３、１３に枢支ピン２３、２３で枢支された支持バー２４と、この支持バー２４に所定間隔で中央部が固定された前記目地カバー１７を複数本のタッピングビス２５等で取付けるためのカバー取付板２６、２６、２６とで構成されている。
【００１６】
上記構成の目地装置１は、通常時には左右の建物３、３の左右の床躯体３ａ、３ａ間の目地部２は床用目地装置４の床用目地プレート９で覆われ、左右の建物３、３の壁面３ｂ、３ｂ間の目地部２は壁用目地装置５の目地カバー１７、スライド目地カバー１９および遮蔽板２０で覆われた状態となっている。
【００１７】
地震で左右の建物３、３間の目地部２が狭くなるように左右の建物３、３が揺れ動いた場合、図８に示すように、床用目地装置４の床用目地プレート９の先端部が他方の建物３の床用目地プレートスライド支持凹部８の傾斜面７をスライド移動し、他方の建物３の床面上へ突出し、その揺れ動きを吸収するとともに、この床用目地プレート９の先端部の上方への回動によって、壁用目地装置５の遮蔽板２０の底面２０ｂは床用目地プレート９と面接触状態で上方へ遮蔽板ガイド片２１、２２によって案内されて、スムーズに上方へ移動して、その揺れ動きを吸収する。
【００１８】
また、左右の建物３、３の目地部２が非常に狭くなるように揺れ動き、床用目地プレート９が回動した場合、図９に示すようにスライド目地カバー１９の中央部の底面が床用目地プレート９と接触して、目地カバー１７内へ平行移動する状態でスライド移動して、その揺れ動きを吸収する。
【００１９】
地震で目地部２が広くなるように左右の建物３、３が揺れ動いた場合、図１０に示すように、床用目地プレート９の先端部は床用目地プレートスライド支持凹部８をスライド移動し、その揺れ動きを吸収するとともに、壁用目地装置５の目地カバー１７の両端部は左右の建物３、３の左右の壁面３ｂ、３ｂをスライド移動し、かつ遮蔽板２０とスライド目地カバー１９の底面は床用目地プレート９上をスライド移動して、その揺れ動きを吸収する。
【００２０】
[発明を実施するための異なる形態]
次に、図１１ないし図１６に示す本発明を実施するための異なる形態につき説明する。なお、これらの本発明を実施するための異なる形態の説明に当って、前記本発明を実施するための第１の形態と同一構成部分には同一符号を付して重複する説明を省略する。
【００２１】
図１１ないし図１４に示す本発明を実施するための第２の形態において、前記本発明を実施するための第１の形態と主に異なる点は、スライド目地カバー１９の下端部中央部に枢支ピン２７で回動可能に取付けた切欠部１８を覆う遮蔽板２０Ａを用いた点で、このように遮蔽板２０Ａをスライド目地カバー１９に取付けた壁用目地装置５Ａを用いて構成した目地装置１Ａにしても、前記本発明を実施するための第１の形態と同様な作用効果が得られる。
【００２２】
図１５ないし図１７に示す本発明を実施するための第３の形態において、前記本発明を実施するための第１の形態と主に異なる点は、左右の建物３、３の目地部側の壁面３ｂ、３ｂのいずれか一方の壁面３ｂに先端部が水平方向に回動できるように後端部がヒンジ部材２８で取付けられ、先端部が他方の壁面３ｂに当接する少なくとも２個以上の目地カバー支持アーム２９、２９と、この少なくとも２個以上の目地カバー支持アーム２９、２９の先端部を常時他方の壁面３ｂに当接するよう付勢できるようにそれぞれ一方の壁面３ｂに付勢スプリング３０、３０を用いて取付けられた付勢機構３１、３１とからなる目地カバー支持具１５Ａを用いて壁用目地装置５Ｂを構成した点で、このような壁用目地装置５Ｂを用いて構成した目地装置１Ｂにしても、前記本発明を実施するための第１の形態と同様な作用効果が得られる。
【００２３】
なお、前記本発明を実施するための各形態ではリップミゾ形鋼形状の目地カバー１７を用いるものについて説明したが、本発明はこれに限らず、コ字状の目地カバーを用いてもよい。
【００２４】
また、前記本発明を実施するための各形態では四角枠状の中央維持リンク機構１４、１４を用いたが、本発明はこれに限らず、パンタグラフ形状の中央維持リンク機構を用いても同様な作用効果が得られる。
【産業上の利用可能性】
【００２５】
本発明は左右の建物間の床と壁面間の目地部を覆う床用目地装置と壁用目地装置を備える目地装置を製造する産業で利用される。
【符号の説明】
【００２６】
１、１Ａ、１Ｂ：目地装置、  ２：目地部、
３：建物、        ４：床用目地装置、
５、５Ａ、５Ｂ：、壁用目地装置、  
６：床用目地プレート支持凹部、７：傾斜面、
８：床用目地プレートスライド支持凹部、
９：床用目地プレート、    １０：係止ピン、
１１：係止穴、      １２：枢支ピン、
１３：中央枢支部、      １４：中央維持リンク機構
１５、１５Ａ：目地カバー支持具、
１６：隙間、        １７：目地カバー、
１８：切欠部、      １９：スライド目地カバー、
２０、２０Ａ：遮蔽板、    ２１、２２：遮蔽板ガイド片、
２３：枢支ピン、      ２４：支持バー、
２５：タッピングビス、    ２６：カバー取付板、
２７：枢支ピン、      ２８：ヒンジ部材、
２９：目地カバー支持アーム、  ３０：付勢スプリング、
３１：付勢機構。
【図１】
0005364752.tif 000002
【図２】
0005364752.tif 000003
【図３】
0005364752.tif 000004
【図４】
0005364752.tif 000005
【図５】
0005364752.tif 000006
【図６】
0005364752.tif 000007
【図７】
0005364752.tif 000008
【図８】
0005364752.tif 000009
【図９】
0005364752.tif 000010
【図１０】
0005364752.tif 000011
【図１１】
0005364752.tif 000012
【図１２】
0005364752.tif 000013
【図１３】
0005364752.tif 000014
【図１４】
0005364752.tif 000015
【図１５】
0005364752.tif 000016
【図１６】
0005364752.tif 000017
【図１７】
0005364752.tif 000018